(57)【要約】【課題】２つのファスナ半部を、収納体の一方の面を構成するシートに取り付けるタイプのファスナ付き包装体において、開封開始動作容易に行うことができ、比較的低コストで製造することができるようにする。【解決手段】収納体３１は、正面側シート３２と背面側シート３３との２枚の柔軟性を有するシートの周囲を熱溶着などで接着した袋体である。正面側シート３２には開封部３４が形成されている。この開封部３４を挟んで、上下両側に、第１ファスナ半部１１の固定部１４と、第２ファスナ半部２１の固定部２４とが、正面側シート３２に接着されている。両ファスナ半部１１、２１は、雌雄嵌合部１３、２３で開閉可能なファスナ１０を構成する。開封部３４は、例えば未開封部３５と開封済み部３６とを備えたものを示し得る。開封済み部３６から指ｆを背面側に差し込み、ミシン目等の未開封部３５を容易に破っていくことができる。【選択図】図１
2015096434.tif 000002
【特許請求の範囲】
【請求項１】
シートと、前記シートに設けられた開閉用のファスナとを備えた収納体であって、
前記ファスナは、開閉可能な一方と他方のファスナ半部を備え、
前記両ファスナ半部は、互いに着脱可能に嵌合する雌雄嵌合部と、前記シートに対する固定部とを備え、
前記雌雄嵌合部と前記固定部とは、共に前記ファスナの長手方向に沿って形成されたものであり、
前記一方のファスナ半部は下方側の固定部を備え、前記他方のファスナ半部は前記下方側の固定部より上方に位置する上方側の固定部を備え、
両ファスナ半部は、前記収納体の分離されていない同一面シートに対して、それぞれの前記固定部によって固定されたものであり、
前記同一面シートにおける前記両ファスナ半部の前記両固定部の間に開封部が設けられ、前記開封部が開かれることで、前記収納体の開封がなされるようにしたファスナ付き収納体において、
前記一方のファスナ半部は、正面に前記下方側の固定部を有する基部と、前記基部の背面に設けられた前記雌雄嵌合部とを備え、
前記他方のファスナ半部は、正面に前記上方側の固定部を有する基部と、前記基部の正面に設けられた前記雌雄嵌合部とを備え、
前記他方のファスナ半部の前記基部は、中間部を備え、
前記中間部は、前記他方のファスナ半部の前記雌雄嵌合部と前記上方側の固定部とが上下方向に距離を隔てて配置されることにより、前記雌雄嵌合部と前記固定部との間に設けられた部分であり、
前記両ファスナ半部は、前記一方のファスナ半部の前記背面と前記他方のファスナ半部の前記正面とが向き合うように、それぞれの前記固定部によって前記同一面シートに対して固定され、
上下方向において、前記中間部と同じ位置を含む部分に、前記開封部が配置され、
前記開封部を開くと共に前記両ファスナ半部の前記雌雄嵌合部同士の嵌合を開いて、前記収納体の開封がなされるようにしたことを特徴とするファスナ付き収納体。
【請求項２】
前記開封部は、前記同一面シートの一部を予め切断することによって、少なくとも指先が挿入できる範囲が開封されている開封済み部を備えたことを特徴とする請求項１記載のファスナ付き収納体。
【請求項３】
前記開封済み部は、前記ファスナの長手方向に０．７〜４ｃｍの長さの切り目部分と、前記ファスナの長手方向に４ｃｍを超える長さのカットラインと、前記ファスナの長手方向と幅方向とに開口した面積を備えた開口部分との少なくとも１種であることを特徴とする請求項２記載のファスナ付き収納体。
【請求項４】
前記開封済み部の少なくとも一部は、前記一方のファスナ半部の前記下方側の固定部の間近の位置に配置され、
前記他方のファスナ半部の前記上方側の固定部を、前記収納体の正面側から背面側へ押さえた状態で、前記収納体の背面側から、前記雌雄嵌合部付近の位置を前記収納体の正面側に押し出すことで、前記一方のファスナ半部の前記下方側の基部を正面の方に開いて、前記開封済み部の開きを大きくすることができるようにしたことを特徴とする請求項１〜３の何れかに記載のファスナ付き収納体。
【請求項５】
前記開封部は、前記同一面シートの一部を開封時に切断することによって、少なくとも指先が挿入できる範囲が開封状態となる未開封部を備えたことを特徴とする請求項１〜４の何れかに記載のファスナ付き収納体。
【請求項６】
前記未開封部は、前記同一面シートに形成されたミシン目又はハーフカットラインであることを特徴とする請求項５に記載のファスナ付き収納体。
【請求項７】
前記同一面シートは方向性を有する延伸フィルムを備え、
前記同一面シートのストレートカット性を示す易カット方向が前記ファスナの長手方向に沿った方向となるように、前記同一面シートが配置されることによって、前記未開封部が形成されたものであることを特徴とする請求項５に記載のファスナ付き収納体。
【請求項８】
前記開封部は、
前記同一面シートの一部を予め切断することによって、少なくとも指先が挿入できる範囲が開封されている開封済み部と、
前記同一面シートの一部を開封時に切断することによって、少なくとも指先が挿入できる範囲が開封状態となる未開封部とが、
連続して形成されていることを特徴とする請求項１に記載のファスナ付き収納体。
【請求項９】
前記同一面シートの表面側に、前記開封部の少なくとも一部を閉じる開封シールを備えたことを特徴とする請求項１〜９の何れかに記載のファスナ付き収納体。
【請求項１０】
前記間近の位置は、前記切り目部分の少なくとも一部と前記下方側の固定部との上下方向の距離が０〜４ｍｍの位置であることを特徴とする請求項４に記載のファスナ付き収納体。
【請求項１１】
前記他方のファスナ半部は仮接着部を備え、
前記仮接着部は、前記固定部と前記同一面シートとの接着よりも弱い接着部であることを特徴とする請求項１〜１０の何れかに記載のファスナ付き収納体。
【請求項１２】
前記他方のファスナ半部の前記基部は、前記中間部よりも正面側に突出する凸部を備え、前記凸部の正面が前記上方側の固定部とされたことを特徴とする請求項１〜１１の何れかに記載のファスナ付き収納体。
【請求項１３】
請求項１〜１２の何れかに記載のファスナ付き収納体を構成できるシートを複数枚分長手方向に連続して配置した連続シートと、前記連続シートに取り付けられた複数の開閉用のファスナとを備えた収納体用連続シートであって、
前記ファスナは、１つの収納体を構成できる前記シート毎に前記連続シートに配置されたものであり、
前記両ファスナ半部のそれぞれは、前記連続シートを前記同一面シートとして、前記固定部によって固定されることものであり、
前記中間部の正面側における前記同一面シートに、前記ファスナの長手方向に沿って伸びる開封部が形成された収納体用連続シート。
【発明の詳細な説明】
【技術分野】
【０００１】
本発明は、ファスナ付き収納体及びそのファスナ並びに収納体用連続シートに関するものである。
【背景技術】
【０００２】
一般に、ファスナ付き収納体は、開閉可能な一方と他方の一対のファスナ半部からなる開閉用のファスナをシートに取り付けて、収納体の開口を開閉可能にするものである。このファスナの取り付けに関しては、２つのタイプに分類できる。第１のタイプは、開閉可能な一方と他方の一対のファスナ半部を、上端開口を構成する対向する２面のシートのそれぞれに取り付けるタイプである。第２のタイプは、一対のファスナ半部を、収納体の一方の面を構成するシートに取り付けるタイプである。この第２のタイプは、取り付けたシートにおける、ファスナ半部とファスナ半部との間の部分に開口を設けて、開口を開くと共に、ファスナを開いて、被収納物を取り出すようにしたものである。
【０００３】
従来、この第２のタイプの収納体としては、特許文献１〜５のものが知られている。これらの特許文献にあっては、ファスナ半部及び／又はシートに、カットテープを設けて、このカットテープを引っ張ることで、開封部を容易に開口することが開示されている。
また、特許文献５にあっては、カットテープの他に、線状体や開封用粗面部を設けることも開示されている。
【０００４】
より詳しく説明すると、特許文献５の図３〜図６、図８及び図９には、ファスナー半部の基部とシートの両方を同時に切断できる強度を有する線状体を設けて、この線状体を引っ張ることで開封を行うものである。この線状体には、ナイロンモノフィラメント、金属線、綿糸、絹糸などを用いることができることが開示されている。
【０００５】
また、特許文献５の図１、図２及び図７には、開封用粗面部を有する収納体が示されている。この収納体には、特許文献５の図２や図７に示されるように、背シール部や突き合わせヒートシール部の上下両側に、一対のファスナ半部が固定されている。そして、背シール部の基部の上下両側、又は、突き合わせヒートシール部の基部の上下両側において、ラミネートシートの表面側に位置するフィルムに細幅の開封用粗面部が設けられている。各開封用粗面部は、背シール部又は突き合わせヒートシール部の基部における折り曲げ部に対応した部位に形成されている。各開封用粗面部は、フィルムにサンドペーパーを押し付けることでフィルムに貫通しない傷を形成することで作られる。この収納体を開封するには、背シール部又は突き合わせヒートシール部の端部を指で挟持し、背シール部又は突き合わせヒートシール部を収納体のシート面から離れる方向に引き上げ、背シール部又は突き合わせヒートシール部を折り曲げ部に沿って開封用粗面部により切断することで行うものである。
【０００６】
これらの特許文献１〜５に示されたカットテープ、線状体、開封用粗面部による開封方法は、いずれも、引っ張り動作によって開封をなすものであった。具体的には、カットテープ、線状体、背シール部又は突き合わせヒートシール部の端部を指で挟持し、収納体のシート面から離れる方向に引き上げることで、カットテープ、線状体、背シール部又は突き合わせヒートシール部をファスナ半部の長手方向に沿って切断するものである。また、カットテープ、線状体、背シール部又は突き合わせヒートシール部の長手方向の端部から、引き上げなければ、その開封が困難であった。即ち、開封開始位置を、収納体の両端に、実質的に限られていた。
【０００７】
さらに、シートにカットテープ、線状体を設けるものにあっては、シートとは別部材を取り付けるものであり、部品点数や製造コストの上昇を避けることができなかった。
【先行技術文献】
【特許文献】
【０００８】
【特許文献１】特許第４５２６８８４号公報
【特許文献２】特許第４７８７８３３号公報
【特許文献３】特許第３７６１７４５号公報
【特許文献４】特開平０３−０５６２４８号公報
【特許文献４】特許第３７５９６８３号公報
【発明の概要】
【発明が解決しようとする課題】
【０００９】
本発明は、開閉ファスナを構成するファスナ半部の双方を、収納体の一方の面を構成するシートに取り付けるタイプのファスナ付き包装体において、開封開始動作を改善したファスナ付き包装体の提供を課題とする。
また、本発明は、開閉ファスナを構成するファスナ半部の双方を、収納体の一方の面を構成するシートに取り付けるタイプのファスナ付き包装体において、開封開始位置を、収納体の両端に限ることなく、収納体の中央においても配置することができるようにしたファスナ付き包装体の提供を課題とする。
【００１０】
さらに、本発明は、比較的低コストで製造することができるファスナ付き包装体の提供を課題とする。
また、本発明は、上記の課題を解決するのに適した収納体用連続シートの提供を課題とする。
【課題を解決するための手段】
【００１１】
本発明は、シートと、前記シートに設けられた開閉用のファスナとを備えた収納体であって、前記ファスナは、開閉可能な一方と他方のファスナ半部を備え、前記両ファスナ半部は、互いに着脱可能に嵌合する雌雄嵌合部と、前記シートに対する固定部とを備え、前記雌雄嵌合部と前記固定部とは、共に前記ファスナの長手方向に沿って形成されたものであり、前記両ファスナ半部のそれぞれは、前記収納体の分離されていない同一面シートに対して、前記固定部によって固定されたものであり、前記同一面シートにおける前記両ファスナ半部の間に開封部が設けられ、前記開封部が切り開かれることで、前記収納体の開封がなされるようにしたファスナ付き収納体の改良に関するものである。
【００１２】
本発明に係るファスナ付き収納体にあっては、前記一方のファスナ半部は、正面に前記下方側の固定部を有する基部と、前記基部の背面に設けられた前記雌雄嵌合部とを備える。また、前記他方のファスナ半部は、正面に前記上方側の固定部を有する基部と、前記基部の正面に設けられた前記雌雄嵌合部とを備える。この他方のファスナ半部の前記基部は、中間部を備えるものであり、この中間部は、前記他方のファスナ半部の前記雌雄嵌合部と前記上方側の固定部とが上下方向に距離を隔てて配置されることにより、前記雌雄嵌合部と前記固定部との間に設けられた部分である。
【００１３】
前記両ファスナ半部は、前記一方のファスナ半部の前記背面と前記他方のファスナ半部の前記正面とが向き合うように、それぞれの前記固定部によって前記同一面シートに対して固定されている。そして、上下方向において、前記中間部と同じ位置を含む部分に、前記開封部が配置され、前記開封部を開くと共に前記両ファスナ半部の前記雌雄嵌合部同士の嵌合を開いて、前記収納体の開封がなされるものである。
【００１４】
前記開封部は、前記同一面シートの一部を予め切断することによって、少なくとも指先が挿入できる範囲が開封されている開封済み部を備えたものとすることができる。
この開封済み部は、前記ファスナの長手方向に０．７〜４ｃｍの長さの切り目部分と、前記ファスナの長手方向に４ｃｍを超える長さのカットラインと、前記ファスナの長手方向と幅方向とに開口した面積を備えた開口部分との少なくとも１種であるものとして実施することができる。
【００１５】
前記開封済み部の少なくとも一部は、前記一方のファスナ半部の前記下方側の固定部の間近の位置に配置されることが、前記開封済み部から使用者の指先を挿入し易くして、初期の開封動作を迅速に行うようする点から望ましい。
具体的には、前記他方のファスナ半部の前記上方側の固定部を、前記収納体の正面側から背面側へ押さえた状態で、前記収納体の背面側から、前記雌雄嵌合部付近の位置を前記収納体の正面側に押し出すことで、前記一方のファスナ半部の前記下方側の基部を正面の方に開いて、前記開封済み部の開きを大きくすることで、使用者の指先を挿入し易くすることができる。
【００１６】
前記間近の位置は、特には限定されないが、前記切り目部分の少なくとも一部と前記下方側の固定部との上下方向の距離が０〜５ｍｍ、より好ましくは０〜２ｍｍの位置とすることが適当である。また、前記切り目部分の少なくとも一部と前記上方側の固定部との上下方向の距離も小さい方が好ましいが、前記切り目部分は、前記上方側の固定部よりも、前記下方側の固定部に近い位置に、設けることが望ましい。なお、上方側の固定部と下方側の固定部との間隔は、６ｍｍ以下とすることが望ましい。
【００１７】
であることを特徴とする請求項４に記載のファスナ付き収納体。
また、前記開封部は、前記同一面シートの一部を開封時に切断することによって、少なくとも指先が挿入できる範囲が開封状態となる未開封部を備えたものとしても実施することができる。この未開封部は、前記同一面シートに形成されたミシン目又はハーフカットラインとすることができる。また、前記同一面シートを、方向性を有する延伸フィルムを備えたものとして、前記同一面シートのストレートカット性を示す易カット方向が前記ファスナの長手方向に沿った方向となるように、前記同一面シートが配置されることによって、前記未開封部を形成することもできる。
【００１８】
また、前記開封部は、前記同一面シートの一部を予め切断することによって、少なくとも指先が挿入できる範囲が開封されている開封済み部と、前記同一面シートの一部を開封時に切断することによって、少なくとも指先が挿入できる範囲が開封状態となる未開封部との両者を備えたものとして実施することもできる。そして、両者を連続して形成することによって、まず、開封済み部に指先を挿入し、開封済み部を大きく開くことで、これに連続する未開封部を容易に開くことができる。
【００１９】
また、前記同一面シートの表面側に、前記開封部の少なくとも一部を閉じる開封シールを設けることもできる。この開封シールによって、開封部、特に開封済み部を塞ぐことにより、収納体の密閉性を向上させたり、いたずら防止の機能を発揮させたりすることができる。
【００２０】
袋の密閉性を高めて、不用意にファスナ半部同士の嵌合が解除されないようにするには、前記他方のファスナ半部が仮接着部を備えたものとする。この仮接着部は、前記固定部と前記同一面シートとの接着よりも弱い接着部とすることで、密閉性と開封とを両立させることができる。
【００２１】
また、前記開封部が、未開封部又は開封済み部を備えたものとし、前記同一面シートを押し込むことで開くようにすることもできる。その場合、指を前記未開封部又は前記開封済み部から前記同一面シート内に差し込み、引き裂くことで、前記開封がなされるようにしてもよい。このように、指を同一面シートへ押し込んで開く動作に対応して、前記他方のファスナ半部の前記基部は、前記中間部よりも正面側に突出する凸部を備え、前記凸部の正面が前記上方側の固定部とすることも適切である。これによって、前記中間部が前記雌雄嵌合部と前記固定部との双方よりも背面側に凹んだ凹部となる。押し込みによる初期開封動作を行う場合には、この凹部が押し込み空間として、機能する。即ち、本発明は、前記両ファスナ半部のそれぞれは、前記収納体の分離されていない同一面シートに対して、前記固定部によって固定されることにより、前記同一面シートと前記中間部との間に押し込み空間が形成される。そして、前記中間部の正面側における前記同一面シートに、前記ファスナの長手方向に沿って伸びる開封部が形成され、前記同一面シートを、前記開封部の少なくとも一部から前記押し込み空間内に押し込んで前記開封部の開封がなされるものをも提供するものである。
【００２２】
従って、本発明での初期の開封動作は、前記同一面シートに予め形成された切り目部分などの開封済み部で行うものとして実施することもでき、前記同一面シートを押し込むことで開かれる前記未開封部で行うものとして実施することもできる。
なお、前記同一面シートは、収納体の一つの面をなすものとして実施すればよく、前記同一面シート自体か複数のシートを接合して構成されたものであってもよいが、接合されていない単一のシートとして実施することもできる。
【００２３】
また、本発明は、前記ファスナ付き収納体を構成できるシートを複数枚分長手方向に連続して配置した連続シートと、前記連続シートに取り付けられた複数の開閉用のファスナとを備えた収納体用連続シートであって、前記ファスナは、１つの収納体を構成できる前記シート毎に前記連続シートに配置されたものであり、前記両ファスナ半部のそれぞれは、前記連続シートを前記同一面シートとして、前記固定部によって固定されることものであり、前記中間部の正面側における前記同一面シートに、前記ファスナの長手方向に沿って伸びる開封部が形成された収納体用連続シートを提供する。  
【発明の効果】
【００２４】
本発明は、開閉ファスナを構成するファスナ半部の双方を、収納体の一方の面を構成するシートに取り付けるタイプのファスナ付き包装体において、開封開始動作を容易になすことができるようにしたものである。
また、本発明の収納体にあっては、開封開始位置を、収納体の両端に限ることなく、収納体の中央においても配置することができるようにしたものである。
【００２５】
さらに、本発明の収納体にあっては、比較的低コストで製造することができる。
また、本発明は、上記の課題を解決するのに適した収納体用連続シートを提供することができたものである。
【図面の簡単な説明】
【００２６】
【図１】本発明の第１の実施の形態を示すもので、（Ａ）は収納体の正面図、（Ｂ）は同収納体の開封状態の要部拡大断面図、（Ｃ）は同収納体の未開封部の位置での要部拡大断面図、（Ｄ）は同収納体の開封済み部の位置での要部拡大断面図である。
【図２】（Ａ）は本発明に係るファスナの変更例を示す要部拡大断面図であり、（Ｂ）は本発明に係るファスナの他の変更例を示す要部拡大断面図、（Ｃ）は本発明に係るファスナのさらに他の変更例を示す要部拡大断面図である。
【図３】（Ａ）は本発明の第２の実施の形態に係る収納体の正面図、（Ｂ）〜（Ｆ）はそれぞれさらに他の変更例に係る収納体の正面図である。
【図４】本発明の第１の実施の形態に係る収納体を製造するための連続シートの正面図である。
【図５】初期開封動作の一例を示す実施例であり、（Ａ）は開封前の要部断面図、（Ｂ）は初期開封動作中の要部断面図、（Ｃ）は初期開封完了時の要部断面図、（Ｄ）は同正面から見た開封部と固定部との位置関係を示す説明図、（Ｅ）〜（Ｇ）はそれぞれ開封部と固定部との他の位置関係を示す説明図である。
【図６】（Ａ）〜（Ｅ）は、それぞれ開封部の形態を示す説明図である。
【図７】（Ａ）〜（Ｄ）は、それぞれ開封部における未開封部と開封済み部との組み合わせパターンの説明図である。
【図８】（Ａ）〜（Ｃ）は、それぞれ開封部における未開封部と開封済み部との組み合わせパターンの説明図である。
【図９】（Ａ）〜（Ｇ）は、それぞれ開封部における未開封部又は開封済み部の形態の説明図である。
【図１０】（Ａ）〜（Ｄ）は、それぞれ開封部における未開封部又は開封済み部の形態の説明図である。
【図１１】（Ａ）〜（Ｄ）は、それぞれ開封部における未開封部又は開封済み部の形態の説明図であり、（Ｅ）は開封部にシールを設けた形態の説明図である。
【図１２】（Ａ）〜（Ｃ）は、それぞれ仮接合部を設ける位置を示す説明図である。
【発明を実施するための形態】
【００２７】
以下、図面に基づき本願発明の実施の形態を説明する。
（概要）
図１は、第１の実施の形態に係る収納体３１を示すものである。この収納体３１は、正面側シート３２と背面側シート３３との２枚の柔軟性を有するシートの周囲を熱溶着などで接着した袋体である。正面側シート３２と背面側シート３３とは、一層又は複数層のフィルムを備えた合成樹脂製を主体とするシートを好適に用いることができ、必要に応じて金属層や紙層を含む複合素材製のシートであってもよい。収納体３１の形状は種々変更して実施することができ、襠部を有するものであってもよく、底部のシートを有するものであってもよく、さらに、一部が剛性の高い成形品で構成されたものであってもよい。正面側シート３２は背面側シート３３とは、別体のシート体から構成してもよく、連続した１枚のシートを折り畳んで正面と背面とに配置したものであってよい。
【００２８】
この収納体３１の一つの面を構成する同一面シートのうち、正面側シート３２と背面側シート３３との少なくとも何れか一方（この例では正面側シート３２）には、開封部３４が形成されている。この開封部３４を挟んで、上下両側に、第１ファスナ半部１１の固定部１４と、第２ファスナ半部２１の固定部２４とが、それぞれ熱溶着などで正面側シート３２に接着されている。この第１ファスナ半部１１と第２ファスナ半部２１とは、雌雄嵌合部１３と雌雄嵌合部２３とが着脱可能に嵌合して、開閉可能なファスナ１０を構成する。
【００２９】
以下、ファスナ１０を構成する第１ファスナ半部１１、第２ファスナ半部２１の長手方向を左右方向（又は横方向）といい、第１ファスナ半部１１、第２ファスナ半部２１の幅方向を上下方向（又は縦方向）というが、これらは相対的な位置関係を示すに止まり、絶対的な位置を特定するものではない。
【００３０】
（第２ファスナ半部２１について）
まず、第２ファスナ半部２１から説明する。第２ファスナ半部２１は、通常の合成樹脂製のファスナに用いられるものと同様のもので、基部２２と、基部２２の背面側に設けられた雌雄嵌合部２３とを備える。雌雄嵌合部２３の正面側の全面あるいは幅方向の一部が固定部２４を構成し、固定部２４と正面側シート３２の背面側とが熱溶着などの接着によって固定されている。
この例では、第２ファスナ半部２１は開封部３４の下方に配置されているが、上方に配置することもできる。
【００３１】
（第１ファスナ半部１１について）
次に、第１ファスナ半部１１は、第２ファスナ半部２１と嵌合する合成樹脂製のファスナ半部であり、基部１２と、基部１２の正面側に設けられた雌雄嵌合部１３とを備える。この雌雄嵌合部１３は、第２ファスナ半部２１の雌雄嵌合部２３と着脱可能に嵌合するものであり、第２ファスナ半部２１の雌雄嵌合部２３と上下方向において略同一位置に設けられたものであり、開封部３４の下方に配置されている。なお、第２ファスナ半部２１が開封部３４の上方に配置された場合には、第１ファスナ半部１１の雌雄嵌合部１３も上方に配置される。図１の例では、第２ファスナ半部２１の雌雄嵌合部２３が突条の雄嵌合部、第１ファスナ半部１１の雌雄嵌合部１３が雌嵌合部として実施されているが、図２（Ａ）に示すように、雌雄は逆にして実施することもでき、複数条の突条と凹溝とが互い嵌合する形状など、ファスナの雌雄嵌合部は種々変更して実施することができる。またいわゆるダブルチャックと呼ばれるように、複数の雌雄嵌合部同士を嵌合させるようにしてもよい。
【００３２】
第１ファスナ半部１１の基部１２は、上下方向において、開封部３４の上下に渡って形成されており、開封部３４の上方に固定部２４が形成されている。第１ファスナ半部１１の固定部１４は、正面側に突出した凸部１５の正面側の先端面に形成されており、正面側シート３２の背面側に熱溶着などの接着によって固定されている。この例では、第１ファスナ半部１１の雌雄嵌合部１３と第２ファスナ半部２１の雌雄嵌合部２３とが嵌合した状態で、第１ファスナ半部１１の固定部１４と第２ファスナ半部２１の固定部２４とが略同一高さとなるように、凸部１５が正面側に突出している。これによって、後述するように、開封動作を極めて円滑に行うことができると共に、正面側シート３２に対する熱溶着も確実に行うことができるものである。
【００３３】
第１ファスナ半部１１の基部１２は、雌雄嵌合部１３と固定部１４との間に中間部１６を備える。この中間部１６は、雌雄嵌合部１３及び固定部１４（凸部１５）に比して、背面側に凹んだ凹部となっている。これにより、中間部１６と正面側シート３２との間には、雌雄嵌合部１３と固定部１４（凸部１５）との間に、押し込み空間３９が形成されることになる。この中間部１６並びに押し込み空間３９に対応する位置であって、それらの正面側に位置する正面側シート３２に、開封部３４が形成されている。
【００３４】
（開封部３４について）
開封部３４は、正面側シート３２に形成されたもので、上下方向において、第１ファスナ半部１１の固定部１４と、第２ファスナ半部２１の固定部２４との間に挟まれた位置に形成されている。開封部３４は、左右方向に伸びる未開封部３５と、その適宜位置（この例では中央）に形成された開封済み部３６とを備える。この例では、未開封部３５は正面側シート３２に形成されたミシン目であり、開封済み部３６は正面側シート３２に形成された切り目部分である。この切り目部分は、指先が入る程度の大きさで、7mm以上、好ましくは10〜40mm程度の左右長さを有するものとして実施することが適当である。切り目部分は、線状にカットされていればよく、その上下方向の幅は0mmで足りるが、数mm〜10mm程度の上下幅として実施することもできる。
【００３５】
（開封動作について）
開封に際しては、まず、開封済み部３６から指ｆを押し込み空間３９内に差し込む。この例では、開封済み部３６は、予めカットされた切り目部分であり、また中間部１６が前述のように凹部となっているため、無理なく指ｆを背面側に押し込むことができる。そして、差し込んだ指ｆを左右に動かすことで、ミシン目の未開封部３５を容易に破っていくことができる。勿論、開封済み部３６に差し込んだ指で正面側シート３２を摘むなどして、上下方向に引っ張る要領で未開封部３５を破るようにしてもよい。いずれにしても、開封済み部３６を押し込み空間３９に押し込むことで、開封済み部３６からの開封を極めて容易に行うことができる。
【００３６】
（製造方法について）
この収納体３１の製造は、極めて容易になすことができる。従来、この種のファスナ１０は、ウエブ状に連続して送られる正面側シート３２に対して、第１ファスナ半部１１と第２ファスナ半部２１とを嵌合させた状態で、第１ファスナ半部１１の固定部１４及び第２ファスナ半部２１の固定部２４が、熱溶着などで接着固定される。本発明の実施の形態では、この接着固定に先立って、正面側シート３２に開封部３４（未開封部３５及び開封済み部３６）を押し切り装置などで形成するだけで足りる。このように、予め形成された開封部３４の上下両側に第１ファスナ半部１１の固定部１４と第２ファスナ半部２１の固定部２４とが位置するように、位置合わせして接着を行うだけで足りるため、製造工程の数を多大にすることもなく、低コストで、製造することができる。
【００３７】
（第２の実施の形態）
図３（Ａ）に、第２の実施の形態を示す。先の実施の形態にあっては、開封部３４の未開封部３５をミシン目としたものであったが、この例では、未開封部３５をシートの性質を利用したストレートカット性のあるものとしている点が相違するものであり、他の点については、先の実施の形態に関する説明を適用できる。
【００３８】
この実施の形態では、収納体３１を構成するシートのうち、少なくとも正面側シート３２が方向性を有する延伸フィルムを備えるものである。この種のシートにあっては、延伸の縦方向である１方向にストレートカット性を示すものであり、このストレートカット性を示す易カット方向４０が前記ファスナの長手方向に沿った方向（左右方向）となるように、正面側シート３２が配置されることによって、未開封部３５が形成されたものである。従って、先の例と異なり、この実施の形態では、未開封部３５は正面側シート３２の他の部分とは区別できない構成となっているが、切り目部分などによって開封済み部３６を形成し、前述の要領で開封済み部３６から指ｆを押し込み空間３９に差し込み、差し込んだ指ｆを左右に動かすことで、ストレートカット性を示す易カット方向４０に未開封部３５を容易に破っていくことができる。
【００３９】
図示は省略するが、この未開封部３５は、正面側シート３２の表面から厚み方向の途中までに形成された凹溝であるハーフカットであってもよい。また、正面側シート３２が複数枚のフィルムを積層したシートである場合には、その表面又は内部のフィルムを予め切断したり、同フィルムにミシン目を形成したりした弱め線を備えたシートとして実施し、その弱め線によって未開封部３５を形成するようにすることもできる。
このように、未開封部３５は、ファスナ１０の長手方向に沿う方向に、容易に切り裂くことができる種々の手段に変更して実施することができる。
【００４０】
（開封部３４の変更例）
図３（Ｂ）に、開封部３４の変更例を示す。先の２つの実施の形態にあっては、切り目部分による開封済み部３６を設けたが、この例では、開封済み部３６を設けないようにしたものであり、他の点については、先の何れの実施の形態に関する説明を適用できる。この図３（Ｂ）の例では、未開封部３５についてミシン目としているが、このミシン目よりも小さな力で開封できる最弱開封部分３７を開封済み部３６の代わりに設けたものである。
【００４１】
最弱開封部３７は、未開封部３５のミシン目よりも小さな力で開封できるように、ミシン目の数を密にしたり、幅を大きくしたりしするなどして実施する。
このように、未開封部３５と、開封済み部３６又は最弱開封部３７とを、ファスナ１０の長手方向に連続して設けるることで、開封の容易性と正面側シート３２の無用な開封を防止する点で好ましい。但し、指ｆで破ることができることを条件に、開封済み部３６や最弱開封部３７を設けずに、未開封部３５のみで構成する（例えば、全体を均一なミシン目で構成する）ことも可能である（図３（Ｃ）参照）。その場合には、開封部３４の何れの箇所からも開封することができるが、使用者が迷わないように、矢印などで開封位置を示しておくこともできる。このような開封位置の表示は、他の例にあっても設けておくことが望ましい。
【００４２】
図３（Ｄ）は、最弱開封部３７についてミシン目を採用し、未開封部３５についてストレートカット性を示す易カット方向４０をファスナ１０の長手方向とした第２の実施の形態の例を採用したものである。図３（Ｅ）は、開封済み部３６（又は最弱開封部３７）について、収納体３１の中央ではなく、正面側シート３２の左右の一端に配置した例であり、図３（Ｆ）は、開封済み部３６を複数箇所（左右両端）に配置した例である。
このように、開封部３４の構成については、その構造や数や大きさなど種々変更して実施することができ、種々の組み合わせで実施することができる。
【００４３】
（第１ファスナ半部１１の変更例）
第１ファスナ半部１１の凸部１５については、前述したように、嵌合状態の雌雄嵌合部１３と雌雄嵌合部２３との厚みに略等しい高さに、突出させて、その先端の固定部１４と、第２ファスナ半部２１の固定部２４とが略同じ高さとなるようにすることが最も望ましいが、図２（Ｂ）に示すように、両者の高さに若干の相違を設けて実施することもできる。図２（Ｂ）の例では、凸部１５の高さを、嵌合状態の雌雄嵌合部１３と雌雄嵌合部２３との厚みの約２分の１としているが、３分の１以上程度でもよい。また、凸部１５を全く設けずに固定部１４と中間部１６とを同じ高さとして実施することも不可能ではないが、開封部３４の押し込みを良好になす観点や、正面側シート３２に対する熱溶着などの接着を良好になす観点からは、凸部１５を設けて実施することが望ましい。
【００４４】
（図２（Ｃ）について）
また、前述までの実施の形態では、両ファスナ半部１１、２１の基部１２、２２の図示下端の下方への長さを略同じ長さとしていたが、両者の長さを異なるようにしてもよい。特に、図２（Ｃ）に示すように、第１ファスナ半部１１の基部１２を、第２ファスナ半部２１の基部２２よりも下方に長く伸ばすことも好ましい。このように、ファスナ１０の幅方向（図２の上下方向）において、第１ファスナ半部１１の基部１２の端部に延長部１７を設けて、この延長部１７を、第２ファスナ半部２１の基部２２よりも幅方向に突出するようにしておく。これによって、両ファスナ半部１１、２１の基部１２、２２を、固定部１４、１２において正面側シート３２に熱溶着する際に、延長部１７も正面側シート３２に対して、軽く熱溶着され、仮接合部１８が形成される。なお、図では、仮接合部１８の厚みが大きく描かれているが、実際は正面側シート３２や延長部１７等が厚み方向に自然と曲がるため、仮接合部１８が厚み自体は、他の固定部１４、２４と同じでよい。但し、延長部１７の厚みを他の固定部１４、２４と異なるように（例えば厚みを厚くして仮接合が確実に行なわれるように、もしくは、厚みを薄くして仮接合の強度を調整するように）してもよい。
【００４５】
このように、延長部１７による仮接合部１８を設けることで、被収納物を収納した収納体３１が保管中や移送中に、雌雄嵌合部１３、２３が外れることがあっても、仮接合部１８によって収納体３１の内外の連通が阻止され得る可能性が高くなる。
他方、開封に際しては、開封部３４から開封され、雌雄嵌合部１３、２３が外される際に、第１ファスナ半部１１の基部１２及びその延長部１７と、正面側シート３２とが、離反するように図示左右に強く引っ張られるため、この延長部１７の仮接合部１８が外れて、収容体３１の内外を連通させることができる。
【００４６】
従って、この延長部１７の仮接合部１８は、不用意には外れないが、意図的な開封時には外れるように、適当な面積とすることが望ましい。具体的には、延長部１７は３〜１０mm程度の幅方向（図の上下方向）の長さがあれよいが、この数値に本発明を限定して理解されるべきではない。
【００４７】
また、材質を工夫して、正面側シート３２に対する接着強さを、固定部１４、２４を強く、延長部１７を弱く接着されるようにしてもよい。例えば、延長部１７を含む両ファスナ半部１１、１２全体をポリプロピレンなどの溶着温度の高い素材で形成し、両固定部１４、２４の正面側の面に、ポリエチレン等の溶着温度の低い素材のフィルムを積層するなどして配置する。そして、正面側シート３２の少なくとも背面側を熱溶着温度の低い素材で構成し、ポリエチレンの溶着温度であってポリプロピレンの溶着温度未満の温度で加熱圧着することで、弱く接着した状態としてもよい。
【００４８】
（図４について）
本発明に係る収納体３１を工業的に量産する場合、袋の連続製造の常法に従い、図４に示す連続シート５１の形態を採るものを製造して、この連続シート５１に対して収納物を収納しながら又は収納せずに各収納体３１を製造することができる。この連続シート５１は、収納体３１を構成できる正面側シート３２（又は必要に応じて正面側シート３２の背面に背面側シートを配置して左右のサイドシールを施し筒状となった２枚のシート体でもよい）を、複数枚分長手方向（図４の上下方向）に連続して配置したものである。この例では、図１の収納体３１を連続生産できるものを示すが、他の実施の形態に係る収納体３１であってもよい。この連続シート５１には、各収納体３１毎に、等間隔で前述の開閉用のファスナが配置され、固定部１４、２４で固定されている。そして、固定部１４、２４の間に、開封部３４（未開封部３５及び開封済み部３６や、図示はしないが最弱開封部３７）が正面側シート３２に等間隔で形成されている。この連続シート５１は、通常ロール状に巻回されて保管移送され、収納体３１の完成工程にて、収納体３１と収納体３１との間の境界部分５２に、袋の天部のシールと底部のシールとが施されると共に切断され、一つずつの収納体３１が完成させられる。なお、連続した状態の連続シート５１の境界部分５２には、袋の天部のシールと底部のシールとを予め施しておかないことが一般的であるが、底部シールのみを施したり、両シールを施しておくようにしたり、種々変更して実施し得るものである。
【００４９】
（図５について）
図５は開封動作の一例を示すものである。この図５にあっては、凸部１５を設けていない場合であっても、容易に開封部３４からの開封が可能な例を示したものである。
図５（Ａ）は、図２に示したものと同様の状態を示すものである。この例では、開封部３４（特に開封済み部３６）の全部又は一部が、第２ファスナ半部２１の固定部２４の間近の位置（具体的には０〜４ｍｍ程度の位置）に配置されている。より望ましくは、第１ファスナ半部１１の固定部１４よりも、第２ファスナ半部２１の固定部２４に近い位置に、開封済み部３６を設けるようにする（図５（Ｄ）参照）。開封済み部３６が直線状の切り目部分で、固定部２４と平行に設けられている場合には、開封部３４（特に開封済み部３６）の全部が上記の間近の位置に設けられることになる。開封済み部３６が波打ったように形成されている場合（図５（Ｅ）参照）や、図示は省略するが傾斜して設けられている場合などには、その一部が上記の間近の位置に配置されればよい。また、図５（Ｆ）に示すように、開封済み部３６が後に詳述する開口部４１である場合には、開封済み部３６（開口部４１）の一部が、固定部２４の上端よりも下方の位置に配置される場合もあり得るが、この場合に関しても、上記０ｍｍの位置に含まれるものとする。開封済み部３６（開口部４１）の一部が、固定部２４の上端よりも下方の位置にしても、この固定部２４には第２ファスナ半部２１の基部２２が存在するため、実質的な開口の大きさは、開封済み部３６の上辺からファスナの基部２２の上端辺によって規定されることになるため、上記０ｍｍの位置に含まれるとするのが合理的である。同様に、図５（Ｇ）に示されるように、第１ファスナ半部１１の固定部１４よりも上方に開封済み部３６（開口部４１）の一部が存在する場合には、実質的な開口の上辺は、ファスナ半部１１の基部１２の下端辺によって規定されることになり、図５（Ｇ）の例では、上下両辺が、両ファスナ半部１１、２１の基部１２、２２によって規定されることになる。
また、両ファスナ半部１１、２１の固定部１４、２４同士の位置を近づけておくことも望ましく、具体的には６ｍｍ以下程度が望ましい。
【００５０】
この状態で、開封するには、まず、一方の手（例えば右手）の親指ｆ１と人指し指ｆ２とで収納体を前後からつまむ。より詳しくは、親指ｆ１で固定部１４を収納体の正面側から背面側へ押さえると共に、人指し指ｆ２を横にして収納体の背面側から、雌雄嵌合部１３、雌雄嵌合部２３の付近を収納体の正面側に押すようにしてつまむ。この状態で、人指し指ｆ２を押し出すようにして、親指ｆ１を背面側に回して、こじ開けるようにして開封部３４を開く。その際、開封部３４（特に開封済み部３６）が、基部２２の間近の位置に配置されているため、正面側シート３２が基部２２によって裏打ちされた状態で腰が強くなっているため、基部２２と正面側シート３２とが正面の方に開く。これにより開封部３４（特に開封済み部３６）の開きが大きくなり、他方の手（例えば左手）の親指ｆ３を容易に挿入することができる。従って、開封部３４の開封動作、特に、初期の開封動作を今までのファスナ付き収納体とは比較にならないほど、簡単に素早く行うことができる。
【００５１】
（図６〜図１１について）
図６〜図１１は、上述の種々の構成を整理したものであり、以下、その種類毎に順次説明する。
【００５２】
（図６について）
図６（Ａ）〜（Ｅ）は、それぞれ開封部３４を図示したものである。
図６（Ａ）は、開封部３４を開封済み部３６のみで構成したものである。この開封済み部３６は、全体が長い切り目によって構成されているものである。なお、便宜上、４ｃｍ以下の短い切り目を切り目部分と呼び、４ｃｍを超える長い切り目をカットラインと呼ぶ。このカットラインは、開封部３４の全長を構成してもよく、図６（Ｂ）に示すように、一部が切断されずに繋がっている部分３８となっている複数のカットラインで構成してもよい。開封済み部３６のカットラインが長くなり過ぎると、移送時などに開封済み部３６が大きく開いてしまって雌雄嵌合部が開いてしまうおそれがあるため、繋がっている部分３８を適宜間隔で設けることも好ましい。また、開封部３４は、収納体１０の左右両側に達するようにすることが好ましいが、収納体１０の中央にのみ設けるなど、その形成位置は適宜変更して実施することができる。
【００５３】
図６（Ｃ）は、前述の図３（Ｃ）と同様、開封部３４をミシン目などの未開封部３５のみで構成した例である。このミシン目は、図６（Ｄ）に示すように、平行に複数本（この例では２本）設けてもよい。また、図６（Ｅ）に示すように、平行に複数本（この例では２本）設ける際に、ミシン目を千鳥状に配置することも望ましい。
このように、開封部３４は、未開封部３５と開封済み部３６のうち、同一種類のみで全体を構成することもできるし、前述のように、未開封部３５と開封済み部３６とを組み合わせて連続して開封されるように構成することもできる。
【００５４】
（図７、図８について）
図７及び図８は、開封部３４を未開封部３５や開封済み部３６などを混在させと構成する場合のパターンを示したものである。
【００５５】
図７（Ａ）は、直線状のミシン目などの未開封部３５（又は、カットラインなどの開封済み部３６）に対して、開口部４１を連続させて設けた例を示す。これまでの説明では、開封済み部３６を切り目（切り目部分又はカットライン）のように線状の開口で構成する例を示したが、この例では、開封済み部３６として横方向（ファスナ１０の長手方向）のみならず、縦方向（ファスナ１０の幅方向）にも面状に開口している開口部４１として実施しているものである。この開口部４１は、正面側シート３２（同一面シート）を金型などで打ち抜くなどして形成されており、直線状の未開封部３５（又は開封済み部３６）に対して、上下両側に開口部４１を設けたものである。
【００５６】
図７（Ｂ）は、１本の直線状のカットラインなどの開封済み部３６に対して、上下の何れか一方に突出するように開口部４１を設けたものである。なお、直線状の開封済み部３６を２本平行して設ける場合には、上の直線状の開封済み部３６に対して上方に突出するように開口部４１を設け、下の直線状の開封済み部３６に対しては下方に突出するように開口部４１を設けることが自然であるが、いずれの方向に開口部４１を突出させてもよい。
【００５７】
図７（Ｃ）は、１本の直線状のカットラインなどの開封済み部３６に対して、上下の何れか一方に突出するように開封済み部３６（切り目部分）を湾曲させて設けた例である。この場合も、上記図７（Ｂ）と同様、上下の何れか一方に開封済み部３６（切り目部分）を設けることもできる他、直線状の開封済み部３６を２本平行して設ける場合にも適用することができる。
【００５８】
図７（Ｄ）は、１本の直線状の開封済み部３６（カットライン）に対して、上下の何れか一方に突出するように未開封部３５（ミシン目）を湾曲させて設けた例である。この場合も、上記図７（Ｂ）と同様、１本の直線状の開封済み部３６（カットライン）に対して、未開封部３５（ミシン目）を上下何れか一方に設けることもできる他、直線状の開封済み部３６（カットライン）を２本平行して設ける場合にも適用することができる。
【００５９】
次に、図８（Ａ）〜（Ｃ）も、図７（Ｂ）〜図７（Ｄ）と同様であり、１本ずつを採用することもでき、上下２本を一組にして実施することもできる。
図８（Ａ）は、半円形に打ち抜くなどした開口部４１を、未開封部３５（ミシン目）に対して連続して設けたものである。図８（Ｂ）は、半円形に湾曲した開封済み部３６（切り目）を、未開封部３５（ミシン目）に対して連続して設けたものである。図８（Ｃ）は、半円形に湾曲した未開封部３５（ミシン目）を、直線状の未開封部３５（ミシン目）に対して連続して設けたものである。この場合、湾曲した未開封部３５（ミシン目）を前述の最弱開封部３７として実施することもできる。
【００６０】
（図９〜図１１について）
直線上の未開封部３５（又は開封済み部３６）に対して、開口部４１、未開封部３５、開封済み部３６を設ける際、これらは種々の形状のものとして実施することができるものであり、その例を図９〜図１１に。図９（Ａ）は円形、図９（Ｂ）（Ｃ）は半円形、図９（Ｄ）はバツ印、図９（Ｅ）は長方形、図９（Ｆ）（Ｇ）は台形の例である。図１０（Ａ）は６角形などの多角形、図１０（Ｂ）は鼓形状、図１０（Ｃ）（Ｄ）は平行四辺形の例である。図１１（Ａ）（Ｂ）（Ｃ）はそれぞれ３角形の例であり、図１１（Ｄ）は矢印形の例である。
【００６１】
これらの種々の形状は、変形した部分が開封開始時に指先を挿入するなどの最初の開封動作を容易になすための例であり、種々変更することができる。また、開封後のつまみとなるタブとして機能させることもできる。但し、当該部分を開封済み部３６の開封済み部３６や開口部４１として実施した場合、移送時などに不用意に大きく開封してしまうおそれがあるため、図１１（Ｅ）に示すように、当該部分を隠すシール４２を同一面シート（正面側シート３２）の外側から剥離可能に貼り付けることもできる。これにより、密閉性を高めることができると共にいたずら防止の効果をも発揮することができる。このシール４２は、開封開始の位置に設ける他、開封部３４の全長に渡って設けるようにしてもよい。
【００６２】
（図１２について）
図１２は仮接合部１８を設ける位置を示すものである。
図１２（Ａ）は、図２（Ｃ）と同様、基部１２の下端に仮接合部１８が設けたものであり、開封部３４と、雌雄嵌合部１３、２３と、仮接合部１８との順で、収納体の収納部奥の方に近づくように並べられている。この例では、開封部３４を開封した後、雌雄嵌合部１３、雌雄嵌合部２３の嵌合を外すことで、仮接合部１８を袋の前後に大きく開いて引っ張ることができるため、仮接合部１８の仮接着が強い場合でも、開封が容易になるという利点がある。
【００６３】
図１２（Ｂ）は、仮接合部１８が、開封部３４と、雌雄嵌合部１３、２３との間に設けられたものである。この例では、仮接合部１８が開封部３４に近い位置に設けられているため、外部からの力が直接雌雄嵌合部１３、２３に作用しないという利点がある。
【００６４】
図１２（Ｃ）は、仮接合部１８が、雌雄嵌合部１３、雌雄嵌合部２３の上下に設けられているものである。この例では、より強固に雌雄嵌合部１３、２３を保護することができる。
以上、本発明は、上記の具体例を種々組み合わせて実施することができることはもちろん、本発明の目的を達成できることを条件に種々変更して実施することができるものである。
【符号の説明】
【００６５】
１０  ファスナ
１１  第１ファスナ半部
１２  基部
１３  雌雄嵌合部
１４  固定部
１５  凸部
１６  中間部
２１  第２ファスナ半部
２２  基部
２３  雌雄嵌合部
２４  固定部
２５  凸部
２６  中間部
３１  収納体
３２  正面側シート
３３  背面側シート
３４  開封部
３５  未開封部
３６  開封済み部
３９  押し込み空間
４０  ストレートカット性を示す易カット方向
４１  開口部
５１  連続シート
【図１】
2015096434.tif 000003
【図２】
2015096434.tif 000004
【図３】
2015096434.tif 000005
【図４】
2015096434.tif 000006
【図５】
2015096434.tif 000007
【図６】
2015096434.tif 000008
【図７】
2015096434.tif 000009
【図８】
2015096434.tif 000010
【図９】
2015096434.tif 000011
【図１０】
2015096434.tif 000012
【図１１】
2015096434.tif 000013
【図１２】
2015096434.tif 000014